(57)【要約】  【課題】レリーズボタン等の操作スイッチのデザインや配置を指の長さや大きさに合わせて容易にカスタマイズ出来るようにし、操作性を向上させる。  【解決手段】取得された被写体の画像に含まれるスイッチ画像を抽出し、大きさ及び表示位置が調整されたスイッチ画像を表示手段に表示させる。表示手段の前面にタッチパネルが設けられており、スイッチ画像が表示された領域に対応する領域においてタッチパネルへの入力が検出されると、あらかじめ設定された所定の動作を実行する。これにより、操作部（例えばレリーズボタンなど）を好みの画像の形状や外観にすることが出来るため、操作部を好みのデザインにカスタマイズすることができる。また、指の太さや指の長さなどに合わせて、操作部の位置、形状など自由にカスタマイズすることができる。【選択図】  図９
2008306381.tif 000002
【特許請求の範囲】
【請求項１】
装置本体の少なくとも１面に設けられた表示手段と、前記表示手段の前面に設けられた前記表示手段と略同形状のタッチパネルとを備えた撮像装置であって、
被写体の画像を取得する撮像手段と、
前記撮像手段で取得されたスイッチ画像を含む画像から前記スイッチ画像を抽出する抽出手段と、
前記抽出手段で抽出された前記スイッチ画像を前記表示手段に表示させる表示制御手段と、
前記タッチパネルへの入力を検出する検出手段であって、前記表示制御手段により前記スイッチ画像が表示された領域と重なる領域への入力を検出する検出手段と、
前記検出手段で入力が検出された場合には、前記スイッチ画像のスイッチに対してあらかじめ設定された所定の動作を実行する制御手段と、
を備えたことを特徴とする撮像装置。
【請求項２】
前記表示手段に表示させるスイッチ画像の位置及び大きさのうちの少なくとも１つを入力する入力手段を更に備え、
前記表示制御手段は、前記スイッチ画像を標準の位置及び大きさで前記表示手段に表示させると共に、前記入力手段からの入力に応じて、前記スイッチ画像の位置及び大きさのうちの少なくとも１つを変更させることを特徴とする請求項１に記載の撮像装置。
【請求項３】
前記装置本体に内蔵の記憶手段を更に備え、
前記記憶手段は、前記抽出手段で抽出されたスイッチ画像と、前記表示制御手段により前記表示手段に表示された前記スイッチ画像の位置、大きさ及び表示領域に関する情報のうちの少なくとも１つの情報と、を記憶することを特徴とする請求項１又は２に記載の撮像装置。
【請求項４】
前記表示手段は２次元配置された複数の画素で構成され、前記タッチパネルは２次元配置された複数の検出ブロックであって、前記複数の画素よりも少ない複数の検出ブロックで構成されていることを特徴とする請求項１〜３のいずれかに記載の撮像装置。
【請求項５】
前記抽出手段は、
前記撮像手段で取得された画像を前記表示手段に表示する第２の表示制御手段と、
前記タッチパネルへの入力を検出する第２の検出手段と、
前記第２の検出手段により入力が検出された前記検出ブロックの座標を算出する第１の座標算出手段と、
前記第２の検出手段において略閉領域が検出された場合には、前記第１の座標算出手段で算出された座標の検出ブロックに囲まれた領域内の画素を前記スイッチ画像として抽出する第２の抽出手段と、
からなることを特徴とする請求項４に記載の撮像装置。
【請求項６】
前記表示手段に表示されたスイッチ画像の画素の座標に対応する前記検出ブロックの座標を算出する第２の座標算出手段を更に備え、
前記検出手段は、前記第２の座標算出手段で算出された座標に配設された検出ブロックへの入力を検出することを特徴とする請求項４又は５に記載の撮像装置。
【請求項７】
前記表示手段が上面及び背面の少なくとも１面に複数設けられている請求項１〜６のいずれかに記載の撮像装置において、
前記表示制御手段は、前記複数の表示手段から前記所望の領域を表示させる表示手段を選択して前記所望の領域を表示させることを特徴とする請求項１〜６のいずれかに記載の撮像装置。
【発明の詳細な説明】
【技術分野】
【０００１】
本発明は撮像装置に係り、特に操作手段のデザインや配置がカスタマイズできる撮像装置に関する。
【背景技術】
【０００２】
タッチパネルにスイッチを任意に配置したり、画面上にブロック分割されたタッチパネルを持ち、センシングの領域形状を変えたりして、操作手段のデザインや配置がカスタマイズできるものとして、以下のようなものが提案されている。
【０００３】
特許文献１には、撮影された画像の一部を抜き出したものをアイコンとして登録できる技術が記載されている。
【０００４】
特許文献２には、タッチパネルにスイッチを任意に配置できる技術が記載されている。
【０００５】
特許文献３には、弾性変形スイッチに合わせてＬＣＤ上にスイッチを任意に配置できる技術が記載されている。
【特許文献１】特開２００６−３１０９４４号公報
【特許文献２】特開２００６−３４４１６８号公報
【特許文献３】特開２００７―３６４９２号公報
【発明の開示】
【発明が解決しようとする課題】
【０００６】
しかしながら、特許文献１に記載の技術は、撮影された画像の一部を抜き出したものを単にアイコン登録するだけであり、スイッチの形状を任意に変えることは出来ず、したがって操作性を変えることは出来ないという問題があった。
【０００７】
また、特許文献２に記載の技術では、規定の形状、配置からスイッチを選択するため、スイッチの位置や形状を変えることは出来ないという問題があった。
【０００８】
また、特許文献３に記載の技術では、配置できるスイッチの位置や形状の変更が限定されるという問題があった。また、大きさや形状を変えられても、検出範囲が一定であるため、操作性までは変えられないという問題があった。
【０００９】
さらに、ゲーム機やパソコンソフトなどで用いられるペイント機能を使ったＧＵｌの登録機能を用いる場合には、デジタルカメラに設けられている液晶画面は小さい画面であるため、このような小さな画面上でスイッチやレバー形状をデザインするのは非常にわずらわしいという問題がある。また、操作手段などの外観をカスタマイズできたとしても、検出範囲や検出位置を画像に合わせることはさらに手間がかかるという問題がある。
【００１０】
本発明はこのような事情に鑑みてなされたもので、レリーズボタン等の操作手段のデザインや配置を指の長さや大きさに合わせて容易にカスタマイズ出来るようにして、操作性を向上させることを目的とする。
【課題を解決するための手段】
【００１１】
請求項１に記載の撮像装置は、装置本体の少なくとも１面に設けられた表示手段と、前記表示手段の前面に設けられた前記表示手段と略同形状のタッチパネルとを備えた撮像装置であって、被写体の画像を取得する撮像手段と、前記撮像手段で取得されたスイッチ画像を含む画像から前記スイッチ画像を抽出する抽出手段と、前記抽出手段で抽出された前記スイッチ画像を前記表示手段に表示させる表示制御手段と、前記タッチパネルへの入力を検出する検出手段であって、前記表示制御手段により前記スイッチ画像が表示された領域と重なる領域への入力を検出する検出手段と、前記検出手段で入力が検出された場合には、前記スイッチ画像のスイッチに対してあらかじめ設定された所定の動作を実行する制御手段と、を備えたことを特徴とする。
【００１２】
請求項１に記載の撮像装置によれば、取得された被写体の画像に含まれるスイッチ画像を抽出し、表示手段に表示させる。表示手段の前面にタッチパネルが設けられており、タッチパネルへの入力であって、スイッチ画像が表示された領域と重なる領域への入力が検出されると、そのスイッチ画像にあらかじめ設定された所定の動作を実行する。これにより、操作部（例えばレリーズボタンなど）を好みの画像の形状や外観にすることが出来るため、操作部を好みのデザインにカスタマイズすることができる。
【００１３】
請求項２に記載の撮像装置は、請求項１に記載の撮像装置において、前記表示手段に表示させるスイッチ画像の位置及び大きさのうちの少なくとも１つを入力する入力手段を更に備え、前記表示制御手段は、前記スイッチ画像を標準の位置及び大きさで前記表示手段に表示させると共に、前記入力手段からの入力に応じて、前記スイッチ画像の位置及び大きさのうちの少なくとも１つを変更させることを特徴とする。
【００１４】
請求項２に記載の撮像装置によれば、位置及び大きさのうちの少なくとも１つを入力し、入力された位置及び大きさに基づいて、標準の位置及び大きさで表示手段に表示されたスイッチ画像の表示を変更する。これにより、指の太さや指の長さなどに合わせて、操作部の位置、形状など自由にカスタマイズすることができる。
【００１５】
請求項３に記載の撮像装置は、請求項１又は２に記載の撮像装置において、前記装置本体に内蔵の記憶手段を更に備え、前記記憶手段は、前記抽出手段で抽出されたスイッチ画像と、前記表示制御手段により前記表示手段に表示された前記スイッチ画像の位置、大きさ及び表示領域に関する情報のうちの少なくとも１つの情報と、を記憶することを特徴とする。
【００１６】
請求項３に記載の撮像装置によれば、スイッチ画像と、スイッチ画像の位置、大きさ及び表示領域に関する情報のうちの少なくとも１つの情報と、が装置本体に内蔵の記憶手段に記憶される。これにより、自由にカスタマイズされた操作部を登録することができる。また、装置に内蔵のメモリに操作部が登録されるため、着脱メモリを変えても登録されたデータが消去されることがない。
【００１７】
請求項４に記載の撮像装置は、請求項１〜３のいずれかに記載の撮像装置において、前記表示手段は２次元配置された複数の画素で構成され、前記タッチパネルは２次元配置された複数の検出ブロックであって、前記複数の画素よりも少ない複数の検出ブロックで構成されていることを特徴とする。
【００１８】
請求項５に記載の撮像装置は、請求項４に記載の撮像装置において、前記抽出手段は、前記撮像手段で取得された画像を前記表示手段に表示する第２の表示制御手段と、前記タッチパネルへの入力を検出する第２の検出手段と、前記第２の検出手段により入力が検出された前記検出ブロックの座標を算出する第１の座標算出手段と、前記第２の検出手段において略閉領域が検出された場合には、前記第１の座標算出手段で算出された座標の検出ブロックに囲まれた領域内の画素を前記スイッチ画像として抽出する第２の抽出手段と、からなることを特徴とすることを特徴とする。
【００１９】
請求項５に記載の撮像装置によれば、入力が検出された検出ブロックの位置の座標を算出し、算出された座標の検出ブロックに囲まれた領域内の画素を、スイッチ画像として抽出する。これにより、操作者が所望する画像を操作部として用いることが出来る。
【００２０】
請求項６に記載の撮像装置は、請求項４又は５に記載の撮像装置において、前記表示手段に表示されたスイッチ画像の画素の座標に対応する前記検出ブロックの座標を算出する第２の座標算出手段を更に備え、前記検出手段は、前記第２の座標算出手段で算出された座標に配設された検出ブロックへの入力を検出することを特徴とする。
【００２１】
請求項６に記載の撮像装置によれば、表示手段に表示されたスイッチ画像の画素の座標に対応する検出ブロックの座標を算出し、算出された座標に配設された検出ブロックにおける入力を検出する。これにより、表示された画像を操作部として用いることが出来る。
【００２２】
請求項７に記載の撮像装置は、前記表示手段が上面及び背面の少なくとも１面に複数設けられている請求項１〜６のいずれかに記載の撮像装置において、前記表示制御手段は、前記複数の表示手段から前記所望の領域を表示させる表示手段を選択して前記所望の領域を表示させることを特徴とする。
【００２３】
請求項７に記載の撮像装置によれば、複数の表示手段から表示手段を選択して、所望の領域を表示させる。これにより、操作部の位置、形状など自由にカスタマイズすることができる。
【発明の効果】
【００２４】
本発明によれば、レリーズボタン等の操作手段のデザインや配置を指の長さや大きさに合わせて容易にカスタマイズ出来るようにして、操作性を向上させることができる。
【発明を実施するための最良の形態】
【００２５】
以下、添付図面に従って本発明に係るデジタルカメラ１を実施するための最良の形態について詳細に説明する。
【００２６】
図１は、デジタルカメラ１の一実施形態を示す正面斜視図であり、図２は、デジタルカメラ１の一実施形態を示す背面斜視図である。デジタルカメラ１は、レンズを通った光を撮像素子で受け、デジタル信号に変換して記憶メディアに記録するものである。
【００２７】
デジタルカメラ１のカメラボディ１０は、横長の四角い箱状に形成されており、その正面には、図１に示すように、レンズ１１、ストロボ１２、ＡＦ補助光ランプ１３、ストロボ調光センサ１４等が配設されている。また、カメラボディ１０の上面には、操作表示用ＬＣＤ１５、タッチパネル１６が設けられている。また、その背面には、図２に示すように、表示部１７、タッチパネル１８が設けられている。なお、図示しないカメラボディ１０の下面には、三脚ネジ穴と、開閉自在なカバーを介してバッテリー挿入部とメモリカードスロットとが設けられており、このバッテリー挿入部とメモリカードスロットにバッテリー１９とメモリカード２０が装填される。
【００２８】
レンズ１１は、沈胴式のズームレンズで構成されており、モードスイッチによってカメラのモードを撮影モードに設定することにより、カメラボディ１０から繰り出される。なお、レンズ１１のズーム機構や沈胴機構については、公知の技術なので、ここでは、その具体的な構成についての説明は省略する。
【００２９】
ストロボ１２は、主要被写体に向けてストロボ光を照射できるように、光源としてのキセノン管と、反射傘とで構成される。
【００３０】
ＡＦ補助光ランプ１３は、たとえば高輝度ＬＥＤ構成されており、ＡＦ時に必要に応じて発光される。
【００３１】
ストロボ調光センサ１４は、ストロボ１２の発光量を調整するものである。
【００３２】
操作表示用ＬＣＤ１５は、カラー表示が可能な液晶ディスプレイであり、図３に示すように、ｘ方向にＮｊ（Ｎ、ｊ共に整数）個の画素、ｙ方向にＮｋ（Ｎ、ｋ共に整数）の画素が２次元配置されたものであり、レリーズボタン、モードスイッチ、モードダイヤル等の操作手段が表示されることにより、ユーザインターフェース表示パネルとして利用される。なお、本実施の形態では、Ｎが４の場合を例として説明する。
【００３３】
タッチパネル１６は、透明導電膜（ＩＴＯ）が片側に成膜された素材（主としてフィルムやガラス）に形成された透明導電膜間が互いに向い合うように所定の距離をもって貼り合わされたアナログ抵抗膜方式のタッチパネルであり、指やペンで押圧された場合に透明導電膜同士が接触することによって信号が入力されるものである。また、タッチパネル１６は、図４に示すように、ｘ方向にｊ（ｊは整数）個の検出ブロック、ｙ方向にｋ（ｋは整数）個の検出ブロックが２次元配置されたものであり、それぞれの検出ブロック毎に検出が可能である。また、タッチパネル１６は、図５に示すように、操作表示用ＬＣＤ１５の前面に設けられている。タッチパネル１６の検出ブロックは、操作表示用ＬＣＤ１５の画素と４対１の関係で関係付けられており、数式１に示すような演算を行うことによって、操作表示用ＬＣＤ１５の所望の画素Ａとタッチパネル１６の検出ブロックａとの相対位置が割り出せる構成になっている。
【００３４】
［数１］
ａ＝Ａ×（１／４）
表示部１７は、カラー表示が可能な液晶ディスプレイであり、操作表示用ＬＣＤ１５と同様に、ｘ方向にＮｈ（Ｎ、ｈ共に整数）個の画素、ｙ方向にＮｉ（Ｎ、ｉ共に整数）個の画素が２次元配置されたものである。この表示部１７は、再生モード時に撮影済み画像を表示するための画像表示パネルとして利用されるとともに、モードダイヤル、表示／戻るボタン、ズームボタン、十字ボタン、ＭＥＮＵ／ＯＫボタン、ＤＩＳＰボタン、ＢＡＣＫボタン等の操作手段が表示されることによりユーザインターフェース表示パネルとして利用される。また、撮影モード時には、必要に応じてスルー画像が表示されて、画角確認用の電子ファインダとして利用される。なお、本実施の形態では、Ｎが４の場合を例として説明する。
【００３５】
タッチパネル１８は、表示部１７の前面に設けられており、タッチパネル１６と同様に、アナログ抵抗膜方式のタッチパネルであり、ｘ方向にｈ（ｈは整数）個の検出ブロック、ｙ方向にｉ（ｉは整数）個の検出ブロックが２次元配置され、それぞれの検出ブロック毎に検出が可能なものである。タッチパネル１８の検出ブロックは、表示部１７の画素と４対１の関係で関係付けられており、数式２に示すような演算を行うことによって、表示部１７の所望の画素Ｂとタッチパネル１８の検出ブロックｂとの相対位置が割り出せる構成になっている。
【００３６】
［数２］
ｂ＝Ｂ×（１／４）
次に、操作手段について説明する。操作手段は、オリジナルのスイッチ画像があらかじめ登録されており、ユーザーが操作手段に用いる所望の画像を登録していない場合には、オリジナルのスイッチ画像が使用される。後に述べる方法により、操作手段が表示された画素に対応する検出ブロックで入力が検出された場合には、以下に示すような、各操作手段に対応する所定の動作が行われる。なお、操作手段の登録方法、登録した操作手段の使用方法等については後に詳述する。
【００３７】
レリーズボタンは、いわゆる「半押し」と「全押し」とからなる２段ストローク式のスイッチで構成されている。デジタルカメラ１は、このレリーズボタンが「半押し」されることにより、ＡＥ／ＡＦが作動し、「全押し」されることにより、撮影を実行する。
【００３８】
モードスイッチは、デジタルカメラ１のモードを設定するものであり、「再生位置」と「撮影位置」との間をスライド自在に配設されている。デジタルカメラ１は、モードスイッチをスライドさせて、「再生位置」に合わせることにより、「再生モード」に設定され、「撮影位置」に合わせることにより、「撮影モード」に設定される。
【００３９】
モードダイヤルは、デジタルカメラ１の撮影モードを設定する撮影モード設定手段として機能し、このモードダイヤルの設定位置により、デジタルカメラ１の撮影モードが様々なモードに設定される。例えば、絞り、シャッタースピード等がデジタルカメラ１によって自動的に設定される「オート撮影モード」、動画撮影を行う「動画撮影モード」、人物撮影に適した「人物撮影モード」、動体撮影に適した「スポーツ撮影モード」、風景の撮影に適した「風景撮影モード」、夕景及び夜景の撮影に適した「夜景撮影モード」、絞りの目盛りを撮影者が設定し、シャッタースピードをデジタルカメラ１が自動的に設定する「絞り優先撮影モード」、シャッタースピードを撮影者が設定し、絞りの目盛りをデジタルカメラ１が自動的に設定する「シャッタースピード優先撮影モード」、絞り、シャッタースピード等を撮影者が設定する「マニュアル撮影モード」、操作手段として登録する画像を撮影する「スイッチ撮影モード」（詳細は後述）等である。
【００４０】
モードダイヤルは、撮影及び再生機能の各種設定画面の呼び出しに用いられる。すなわち、撮影時にこのモードダイヤルが押されると、表示部１７に画像サイズ（記録画素数）、感度等の設定画面が表示され、再生時にこのモードダイヤルが押されると、表示部１７に画像の消去、プリント予約（ＤＰＯＦ）の設定画面等が表示される。
【００４１】
表示／戻るボタンは、表示部１７の表示内容の切り替え指示（表示機能）に用いられるとともに、入力操作のキャンセル等の指示（戻る機能）に用いられ、デジタルカメラ１の設定状態に応じて割り当てられる機能が切り替えられる。
【００４２】
ズームボタンは、ズームを指示するズーム指示手段として機能し、望遠側へのズームを指示するズームテレボタンと、広角側へのズームを指示するズームワイドボタンとからなる。デジタルカメラ１は、撮影モード時に、このズームテレボタンとズームワイドボタンとが操作されることにより、レンズ１１の焦点距離が変化する。また、再生モード時に、このズームテレボタンとズームワイドボタンとが操作されることにより、再生中の画像が拡大、縮小する。
【００４３】
十字ボタンは、上下左右４方向の指示を入力する方向指示手段として機能し、たとえば、メニュー画面でメニュー項目の選択などに使用される。
【００４４】
ＭＥＮＵ／ＯＫボタンは、各モードの通常画面からメニュー画面への遷移を指示するボタン（ＭＥＮＵボタン）として機能するととともに、選択内容の確定、処理の実行等を指示するボタン（ＯＫボタン）として機能する。
【００４５】
ＤＩＳＰボタンは、表示部１７の表示切り替えを指示するボタンとして機能し、撮影中、このＤＩＳＰボタンが押されると、表示部１７の表示が、ＯＮ→フレーミングガイド表示→ＯＦＦに切り替えられる。また、再生中、このＤＩＳＰボタンが押されると、通常再生→文字表示なし再生→マルチ再生に切り替えられる。
【００４６】
ＢＡＣＫボタンは、入力操作のキャンセルや一つ前の操作状態に戻すことを指示するボタンとして機能する。
【００４７】
次に、デジタルカメラ１の電気的構成について説明する。図６は、デジタルカメラ１の電気的構成を示すブロック図である。
【００４８】
同図に示すように、デジタルカメラ１は、システム制御回路１１０、入力判定手段１１２、メモリ１１６、不揮発性メモリ１１８、メモリ１２０、撮像素子１２４、タイミング発生回路（ＴＧ）１２６、Ａ／Ｄ変換器１３０、メモリ制御手段１３２、画像処理回路１３４、ビデオエンコーダ１３６、操作画像生成手段１３８、測距制御手段（ＡＦ手段）１４０、露光制御手段（ＡＥ手段）１４２、バリア制御手段１４３、ズーム制御手段１４６、圧縮・伸張回路１４８、メディア制御手段１５０、ストロボ制御手段１６０等で構成されている。
【００４９】
システム制御回路１１０は、入力判定手段１１２から入力される操作信号に基づき所定の制御プログラムに従ってデジタルカメラ１の全体を統括制御する。
【００５０】
入力判定手段１１２は、タッチパネル１６、１８の入力を検出するものである。入力判定手段１１２は、タッチパネル１６において入力が検出された検出ブロックに関係付けられている操作表示用ＬＣＤ１５の画素を割り出して、その結果をシステム制御回路１１０に出力する。また、入力判定手段１１２は、タッチパネル１８において入力が検出された検出ブロックに関係付けられている表示部１７の画素を割り出して、その結果をシステム制御回路１１０に出力する。操作手段が表示されている画素に対応する検出ブロックの入力が入力判定手段１１２で検出されると、システム制御回路１１０は、その操作手段に対応する所定の動作を行う。
【００５１】
メモリ１１６は、システム制御回路１１０が実行する制御プログラム及び制御に必要な各種データ等が格納されているものである。
【００５２】
不揮発性メモリ１１８には、ユーザー設定情報等のデジタルカメラ１の動作に関する各種設定情報等が格納されている。
【００５３】
メモリ（ＳＤＲＡＭ）１２０は、システム制御回路１１０の演算作業用領域として利用されるとともに、画像データ等の一時記憶領域として利用されるものである。
【００５４】
撮像素子１２４は、たとえば、所定のカラーフィルタ配列のカラーＣＣＤで構成されており、レンズ１１によって結像された被写体の画像を電子的に撮像する。タイミング発生回路（ＴＧ）１２６は、システム制御回路１１０からの指令に応じて、この撮像素子１２４を駆動するためのタイミング信号を出力する。
【００５５】
Ａ／Ｄ変換器１３０は、撮像素子１２４から出力された画像信号に対して、画素ごとのＲ、Ｇ、Ｂ信号をサンプリングホールド（相関二重サンプリング処理）するとともに増幅されたアナログのＲ、Ｇ、Ｂ信号をデジタルのＲ、Ｇ、Ｂ信号に変換して出力する。
【００５６】
メモリ制御手段１３２は、Ａ／Ｄ変換器１３０から出力されたデジタルのＲ、Ｇ、Ｂ信号をメモリ１２０に出力する。
【００５７】
画像処理回路１３４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、システム制御回路１１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００５８】
Ｄ／Ａ変換器１３５は、画像処理回路１３４で処理された画像信号をアナログ信号に変換して、ビデオエンコーダ１３６に供給する。
【００５９】
ビデオエンコーダ１３６は、システム制御回路１１０からの指令に従い、表示部１７への表示を制御する。すなわち、システム制御回路１１０からの指令に従い、Ｄ／Ａ変換器１３５や操作画像生成手段１３８から入力された画像信号を表示部１７に表示するための映像信号（たとえば、ＮＴＳＣ信号やＰＡＬ信号、ＳＣＡＭ信号）に変換して表示部１７に出力する。
【００６０】
操作画像生成手段１３８は、撮像素子１２４で取得された画像に基づいて、操作部に用いられる画像を作成するものである。なお、操作画像生成手段１３８の詳細については後に詳述する。
【００６１】
測距制御手段（ＡＦ手段）１４０は、Ｇ信号の高周波成分のみを通過させるハイパスフィルタ、絶対値化処理部、所定のフォーカスエリア（たとえば、画面中央部）内の信号を切り出すＡＦエリア検出部及びＡＦエリア内の絶対値データを積算する積算部から構成される。
【００６２】
露光制御手段（ＡＥ手段）１４２は、システム制御回路１１０からの指令に従い、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。
【００６３】
バリア制御手段１４３は、電源スイッチが投入されると、レンズ１１ｂの前面に設けられており、レンズ１１ｂを保護するレンズバリア１１ａを解放させて、レンズ１１ｂを表面へ露出させる。
【００６４】
電源制御手段１４５は、電池の消費電力を抑制するために、デジタルカメラ１がＯＮされていない場合には、バッテリー１９からシステム制御回路１１０にのみ電源を供給し、デジタルカメラ１がＯＮされた場合には、バッテリー１９から各ブロックに電力が供給されるように制御するものである。
【００６５】
ズーム制御手段１４６は、システム制御回路１１０からの指令に応じてレンズ１１ｂを制御する。
【００６６】
圧縮・伸張回路１４８は、システム制御回路１１０からの指令に従い、入力された画像データに所定形式の圧縮処理を施し、圧縮画像データを生成する。また、システム制御回路１１０からの指令に従い、入力された圧縮画像データに所定形式の伸張処理を施し、非圧縮の画像データを生成する。
【００６７】
メディア制御手段１５０は、システム制御回路１１０からの指令に従い、メディアスロットに装填されたメモリカード２０に対してデータの読み／書きを制御する。
【００６８】
ストロボ制御手段１６０は、システム制御回路１１０からの指令に従い、ストロボ１２の発光を制御する。
【００６９】
次に、以上のように構成された本実施の形態のデジタルカメラ１の作用について説明する。
【００７０】
まず、一般的な画像の撮影、記録処理の手順について説明する。上記のように、デジタルカメラ１は、図示しない電源ボタンにより電源がＯＮされると、オリジナルの操作手段が操作表示用ＬＣＤ１５及び表示部１７に表示され、各種操作が可能となる。そして、モードスイッチにより撮影モードに設定されることにより、レンズバリア１１ａを解放され、レンズ１１ｂが繰り出され、撮影スタンバイ状態になる。
【００７１】
この撮影モードの下、レンズ１１ｂを通過した被写体光は、絞り１１ｃを介して撮像素子１２４の受光面に結像される。撮像素子１２４の受光面には、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置されている。レンズ１１を通過した被写体光は、各フォトダイオードによって受光され、入射光量に応じた量の信号電荷に変換される。
【００７２】
各フォトダイオードに蓄積された信号電荷は、タイミング発生回路（ＴＧ）１２６から与えられる駆動パルスに基づいて信号電荷に応じた電圧信号（画像信号）として順次読み出され、Ａ／Ｄ変換器１３０に加えられる。
【００７３】
Ａ／Ｄ変換器１３０で出力されたアナログのＲ、Ｇ、Ｂ信号がデジタルのＲ、Ｇ、Ｂ信号に変換され、メモリ制御手段１３２に加えられる。メモリ制御手段１３２は、Ａ／Ｄ変換器１３０から出力されたデジタルのＲ、Ｇ、Ｂ信号をメモリ１２０に出力する。
【００７４】
撮影画像を表示部１７に出力する場合は、メモリ制御手段１３２からメモリ１２０に出力された画像信号より画像処理回路１３４で輝度／色差信号が生成され、その信号がＤ／Ａ変換器１３５を介してビデオエンコーダ１３６に送られる。ビデオエンコーダ１３６は、入力された輝度／色差信号が表示用の信号形式（たとえばＮＴＳＣ方式のカラー複合映像信号）に変換され、表示部１７に出力される。これにより、撮像素子１２４で撮像された画像が表示部１７に表示される。
【００７５】
撮像素子１２４から画像信号を定期的に取り込み、その画像信号から生成される輝度／色差信号によってメモリ１２０内の画像データを定期的に書き換え、表示部１７に出力することにより、撮像素子１２４で撮像される画像がリアルタイムに表示される。撮影者は、この表示部１７にリアルタイムに表示される画像（スルー画像）を見ることにより、撮影画角を確認することができる。
【００７６】
レリーズボタンが半押しされると、Ｓ１ＯＮ信号がシステム制御回路１１０に入力され、システム制御回路１１０はＡＥ／ＡＦ処理を実施する。
【００７７】
まず、メモリ制御手段１３２を介して撮像素子１２４から取り込まれた画像信号が測距制御手段（ＡＦ手段）１４０並びに露光制御手段（ＡＥ手段）１４２に入力される。
【００７８】
測距制御手段（ＡＦ手段）１４０で求めた積算値のデータはシステム制御回路１１０に通知される。
【００７９】
システム制御回路１１０は、ズーム制御手段１４６を制御してレンズ１１を含む撮影光学系のフォーカスレンズ群を移動させながら、複数のＡＦ検出ポイントで焦点評価値（ＡＦ評価値）を演算し、評価値が極大となるレンズ位置を合焦位置として決定する。そして、求めた合焦位置にフォーカスレンズ群が移動するように、ズーム制御手段１４６を制御する。
【００８０】
システム制御回路１１０は、露光制御手段（ＡＥ手段）１４２から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従い撮像素子１２４の電子シャッターと絞り１１ｃを制御して適正な露光量を得る。同時に、検出された被写体輝度より、ストロボの発光が必要かどうかを判断する。
【００８１】
また、露光制御手段（ＡＥ手段）１４２は、自動ホワイトバランス調整時、分割エリアごとにＲ、Ｇ、Ｂ信号の色別の平均積算値を算出し、その算出結果をシステム制御回路１１０に提供する。システム制御回路１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００８２】
以上のように、レリーズボタンの半押しによって、ＡＥ／ＡＦ処理が行なわれる。なお、撮影者は、必要に応じてズームボタンを操作し、レンズ１１をズーミングさせて画角を調整する。
【００８３】
この後、レリーズボタンが全押しされると、システム制御回路１１０にＳ２ＯＮ信号が入力され、システム制御回路１１０は、撮影、記録処理を開始する。すなわち、測光結果に基づき決定されたシャッター速度、絞り値で撮像素子１２４を露光する。
【００８４】
この際、ストロボ１２を発光させる場合は、ストロボ制御手段１６０を介してストロボ１２を発光させる。ストロボ制御手段１６０は、ストロボ調光センサ１４での受光量が所定量に達すると、電源制御手段を介してバッテリー１９からの通電を遮断し、ストロボ１２の発光を停止させる。
【００８５】
撮像素子１２４から出力された画像信号は、Ａ／Ｄ変換器１３０、メモリ制御手段１３２を介してメモリ１２０に取り込まれ、画像処理回路１３４において輝度／色差信号に変換されたのち、メモリ１２０に格納される。
【００８６】
メモリ１２０に格納された画像データは、圧縮・伸張回路１４８に加えられ、所定の圧縮フォーマット（たとえばＪＰＥＧ形式）に従って圧縮された後、メモリ１２０に格納され、所定の画像記録フォーマット（たとえばＥｘｉｆ形式）の画像ファイルとされたのち、メディア制御手段１５０を介してメモリカード２０に記録される。
【００８７】
以上のようにしてメモリカード２０に記録された画像は、モードスイッチを再生位置に合わせて、デジタルカメラ１のモードを再生モードに設定することにより、表示部１７で再生表示させることができる。
【００８８】
モードスイッチを再生位置に合わせて、デジタルカメラ１のモードを再生モードに設定すると、システム制御回路１１０は、メディア制御手段１５０にコマンドを出力し、メモリカード２０に最後に記録された画像ファイルを読み出させる。
【００８９】
読み出された画像ファイルの圧縮画像データは、圧縮・伸張回路１４８に加えられ、非圧縮の輝度／色差信号に伸張されたのち、ビデオエンコーダ１３６を介して表示部１７に出力される。これにより、メモリカード２０に記録されている画像が表示部１７に再生表示される（１枚画像の再生）。
【００９０】
画像のコマ送りは、十字ボタンの左右のキー操作によって行なわれ、十字ボタンの右キーが押されると、次の画像ファイルがメモリカード２０から読み出され、表示部１７に再生表示される。また、十字ボタンの左キーが押されると、一つ前の画像ファイルがメモリカード２０から読み出され、表示部１７に再生表示される。
【００９１】
表示部１７に再生表示された画像を確認しながら、必要に応じて、メモリカード２０又は、メモリ１２０に記録された画像を消去することができる。画像の消去は、画像が表示部１７に再生表示された状態でモードダイヤルが押下されることによって行われる。
【００９２】
一枚画像の再生中に表示／戻るボタンを押下すると、インデックス画像回路（図示せず）で作成されたインデックス画像がビデオエンコーダ１３６を介して表示部１７に出力される（インデックス画像再生）。インデックス画像再生はマルチ再生とも呼ばれ、撮った画像を一覧として見ることができる再生方法である。これにより、表示部１７にはインデックス画像が表示される。
【００９３】
次に、操作画像生成手段１３８の詳細について説明する。操作画像生成手段１３８では、各種操作手段に使用する画像を取得する処理（スイッチ撮影モード）と、各種操作手段に使用する画像を登録する処理（スイッチ画像登録処理）と、各種操作手段を登録する処理（操作手段登録処理）とが行われる。以下、操作手段としてレリーズボタンを登録する場合を例に説明する。
【００９４】
＜スイッチ撮影モードについて＞
まず、操作手段を撮影するスイッチ撮影モードについて、図７を用いて説明する。
【００９５】
モードスイッチにより撮影モードに設定され（ステップＳ１０）、その後、モードダイヤルによりスイッチ撮影モードが起動されたかどうかが判断される（ステップＳ１１）。スイッチ撮影モードが起動されていない場合（ステップＳ１１でＮＯ）には、再度ステップＳ１０が行われる。
【００９６】
スイッチ撮影モードが起動されている場合（ステップＳ１１でＹＥＳ）には、図８に示すように、ユーザーが自分の気に入ったレリーズボタン２ａの付いたカメラ２を用意して、その外観を撮影すると、撮影された画像が取得され、取得された画像がメモリ１２０に記憶される（ステップＳ１２）。
【００９７】
メモリ１２０に記憶された画像の中から所望の画像を表示部１７に表示させ（ステップＳ１３）、その表示された画像が、レリーズボタンとして使用したい領域を含む画像として登録され（ステップＳ１４）、その画像がメモリ１２０へ登録される（ステップＳ１５）。
【００９８】
＜スイッチ画像登録処理について＞
次に、このボタン画像を用いて、レリーズボタンを登録する処理について、図９を用いて説明する。以下の処理は、主として、操作画像生成手段１３８で行われる。
【００９９】
モードスイッチにより再生モードに設定され（ステップＳ２０）、その後、モードダイヤルによりスイッチ設定モードが起動されたかどうかが判断される（ステップＳ２１）。スイッチ設定モードが起動されていない場合（ステップＳ２１でＮＯ）には、再度ステップＳ２０が行われる。
【０１００】
スイッチ設定モードが起動されている場合（ステップＳ２１でＹＥＳ）には、デジタルカメラ１に内蔵されているメモリ１２０から画像が読み出され（ステップＳ２２）、読み出された画像が表示部１７にインデックス画像表示される（ステップＳ２３）。
【０１０１】
インデックス画像表示された画像のなかから、画像の選択がされたかどうかが判断される（ステップＳ２４）。
【０１０２】
画像の選択がされなかった場合には、再度ステップＳ２４が行われる。
【０１０３】
画像の選択がされた場合には、図１０に示すように、選択された画像（ｎ枚目の画像、ｎは整数）が表示部１７に表示される（ステップＳ２５）。表示部１７に表示された画像は、表示部１７の前面に設けられているタッチパネル１８を透過して、ユーザーが視認できる。
【０１０４】
図１０に示すように、「輪郭をなぞってください」等のメッセージを表示することにより、レリーズボタンとして使用したい領域の入力が要求される（ステップＳ２６）。
【０１０５】
タッチパネル１８へ入力が行われ（ステップＳ２７）、入力されたタッチパネル１８の検出ブロックが検出される（ステップＳ２８）。入力は、ペン、指などを用いて、検出ブロックにペン等を接触させることによって行われる。
【０１０６】
入力が検出された検出ブロックの座標が算出され、上述した数式２に基づいて、タッチパネル１８の検出ブロックの座標が表示部１７の画素の座標に変換される（ステップＳ２９）。
【０１０７】
ステップＳ２９で算出された座標の表示部１７の画素に、ステップＳ２７の入力があった旨の表示が行われる（ステップＳ３０）。これは、算出された座標の画素の表示の濃度をあげる等により行われる。これにより、入力の軌跡が表示部１７に表示される。
【０１０８】
領域の入力が完了されたかどうかが、すなわち円形、楕円形、矩形などの略閉領域の入力がされたかどうか判断される（ステップＳ３１）。領域の入力が完了していない場合、すなわち入力された結果が略閉領域となっていない場合（ステップＳ３１でＮＯ）には、ステップＳ２７へ戻り、再度ステップＳ２７〜Ｓ３１が行われる。
【０１０９】
領域の入力が完了した場合、すなわち入力された結果が略閉領域となっている場合（ステップＳ３１でＹＥＳ）には、図１１に示すように、入力された略閉領域以外をマスクした画像が表示部１７に表示され（ステップＳ３２）、「よろしいですか」等のメッセージと、ＯＫ／ＮＧの選択ボタンとを表示させ、ＯＫボタンが表示された画素に対応するタッチパネル１８の検出ブロックに入力がされたかどうかを判断することにより、レリーズボタンとして使用したい領域の入力結果が正しいかどうかを確認する旨の要求が行われる（ステップＳ３３）。
【０１１０】
確認の入力結果がＯＫかどうかが判断される（ステップＳ３４）。確認の入力結果がＮＯの場合、すなわちステップＳ３２で表示された画像が、レリーズボタンとして使用したい画像でない場合（ステップＳ３４でＮＯ）には、ステップＳ２５へ戻り、再度ステップＳ２５〜Ｓ３４が行われる。
【０１１１】
確認の入力結果がＹＥＳの場合、すなわちステップＳ３２で表示された画像が、レリーズボタンとして使用したい画像である場合（ステップＳ３４でＹＥＳ）には、表示部１７に表示されている画像（スイッチ画像）と、その領域データ（画像が表示されている画素の座標）がメモリ１２０に記憶される（ステップＳ３５）。
【０１１２】
これにより、レリーズボタンの画像と、位置及び大きさとが設定され、メモリ１２０に記憶される。
【０１１３】
以上により、各種操作手段に使用する画像を登録する処理が終了される。
【０１１４】
なお、ステップＳ２３、Ｓ２４において、インデックス画像表示を行い、その中から登録したい画像を選択したが、メモリ１２０に記憶された画像を順次読み出して表示させて（１枚画像の再生）、登録したい画像を選択するようにしてもよい。
【０１１５】
＜操作手段登録処理＞
図９に示す処理により登録された画像をレリーズボタンとして登録する処理について、図１２を用いて説明する。以下の処理は、主として、操作画像生成手段１３８で行われる。
【０１１６】
モードスイッチにより再生モードに設定され（ステップＳ４０）、その後、モードダイヤルによりスイッチ配置モードが起動されたかどうかが判断される（ステップＳ４１）。スイッチ配置モードが起動されていない場合（ステップＳ４１でＮＯ）には、再度ステップＳ４１が行われる。
【０１１７】
スイッチ配置モードが起動されている場合（ステップＳ４１でＹＥＳ）には、ステップＳ３５でメモリ１２０に記憶されたスイッチ画像及び領域データが読み出され（ステップＳ４２）、図１３に示すような選択画面が表示部１７に表示される（ステップＳ４３）。図１３においては、ステップＳ３５で記憶された画像が登録画像１に割り当てられている。
【０１１８】
図１３に示すような選択画面において所望のスイッチ画像が選択されたかどうかが判断される（ステップＳ４４）。所望のスイッチ画像が選択されていない場合（ステップＳ４４でＮＯ）には、再度ステップＳ４４が行われる。
【０１１９】
所望のスイッチ画像が選択されている場合（ステップＳ４４でＹＥＳ）には、選択されたスイッチ画像と、位置及び大きさの情報と、輪郭情報とがメモリ１２０から読み出され、これらの情報に基づいて操作表示用ＬＣＤ１５にスイッチ画像が表示される（ステップＳ４５）。すなわち、図１３に示す「レリーズボタン登録」という選択画面において、スイッチ画像として登録画像１が選択された場合には、図１４に示すように、操作表示用ＬＣＤ１５の所定の場所（ここでは、通常のデジタルカメラ等においてレリーズボタンが配置されている場所）に登録画像１が表示される。
【０１２０】
所望のスイッチ画像が操作表示用ＬＣＤ１５に表示された状態で、表示部１７に「ボタンを動かしてください」等のメッセージを表示することにより、ボタンの位置を入力する旨の要求が行われ（ステップＳ４６）、ボタンの位置の入力が行われる（ステップＳ４７）。例えば、図１４に示すように、操作表示用ＬＣＤ１５に表示された登録画像１に矢印を重ねて表示させ、矢印に沿ってユーザーが指などを動かし、指などの動きがタッチパネル１６で検出されることにより、レリーズボタンを配置したい場所に登録画像１を移動させることによって行われる。
【０１２１】
ボタンの位置の入力が完了したかどうかが判断される（ステップＳ４８）。ボタンの位置の入力が完了していない場合（ステップＳ４８でＮＯ）には、ステップＳ４６へ戻り、再度ステップＳ４６〜Ｓ４８が行われる。
【０１２２】
ボタンの位置の入力が完了した場合（ステップＳ４８でＹＥＳ）には、表示部１７に「大きさを指定してください」等のメッセージを表示することにより、ボタンの大きさを指定する旨の要求が行われ（ステップＳ４９）、ボタンの大きさの入力が行われる（ステップＳ５０）。例えば、図１５に示すように、操作表示用ＬＣＤ１５に表示された登録画像１の横に矢印を表示させ、矢印に沿ってユーザーが指などを動かし、指などの動きがタッチパネル１６で検出されることにより、登録画像１の大きさを変更させることによって行われる。
【０１２３】
ボタンの大きさの入力が完了したかどうかが判断される（ステップＳ５１）。ボタンの大きさの入力が完了していない場合（ステップＳ５１でＮＯ）には、ステップＳ４９へ戻り、再度ステップＳ４９〜Ｓ５１が行われる。
【０１２４】
ボタンの大きさの入力が完了した場合（ステップＳ５１でＹＥＳ）には、所望の画像、大きさ、位置等のレリーズボタンが操作表示用ＬＣＤ１５に表示されている旨の入力がされたかどうかが判断される（ステップＳ５２）。例えば、図１６に示すように、表示部１７に「よろしいですか」等のメッセージと、ＯＫ／ＮＧの選択ボタンとを表示させ、ＯＫボタンが表示された画素に対応するタッチパネル１８の検出ブロックに入力がされたかどうかを判断することによって行われる。
【０１２５】
確認の入力結果がＮＯの場合、すなわち所望の画像、大きさ、位置等のレリーズボタンが操作表示用ＬＣＤ１５に表示されていない場合（ステップＳ５２でＮＯ）には、ステップＳ４５へ戻り、再度ステップＳ４５〜Ｓ５２が行われる。
【０１２６】
確認の入力結果がＹＥＳの場合、すなわち所望の画像、大きさ、位置等のレリーズボタンが操作表示用ＬＣＤ１５に表示されている場合（ステップＳ５２でＹＥＳ）には、操作表示用ＬＣＤ１５に表示されているレリーズボタンの画像、位置、大きさのデータがメモリ１２０に記憶される（ステップＳ５３）。
【０１２７】
これにより、所望のレリーズボタンの登録が完了し、その後、図１７に示すようなレリーズボタン１５ａが操作表示用ＬＣＤ１５に表示される。
【０１２８】
上記のようにして登録されたレリーズボタン１５ａを使用するには、レリーズボタン１５ａの画像に基づいてタッチパネル１６の入力設定を行う必要がある。レリーズボタンは使用する際には、通常はレリーズボタンの上に指が置かれており、必要に応じてレリーズボタンを押し込むことにより、Ｓ１、Ｓ２の切り替えが行われる。したがって、指がレリーズボタンに接触している場合には、レリーズ動作を行わず、検出ブロックにおいて所定の強さの入力があった場合には、Ｓ１又はＳ２動作を行うように設定する必要がある。
【０１２９】
レリーズボタンの設定は、例えば、図１８に示すように、Ｓ１、Ｓ２それぞれに対して、タッチパネル１６の検出ブロックに対する入力の強さと、レリーズボタン１５ａのＯＮとの関係を入力することによって行われる。レリーズボタン１５ａを押すと、表示部１７に表示された矢印に、Ｓ１、Ｓ２のそれぞれがＯＮする入力の強さが表示され、その表示を見ながら、Ｓ１ＯＮ、Ｓ２ＯＮの検出ブロックに対する入力の強さを設定するようにすればよい。
【０１３０】
これにより、タッチパネル１６のレリーズボタン１５ａが表示された画素に対応するブロックを指で押して、設定された強さの入力が検出されると、所定の動作、この場合はレリーズ動作（Ｓ１又はＳ２）が実行される。
【０１３１】
本実施の形態によれば、デジタルカメラで撮影された様々なスイッチや操作部材の画像を使って、操作手段等のデザインを好みの画像の形状や外観に変更することができる。また、指の太さや指の長さなどに合わせて、操作手段等の位置、形状など自由にカスタマイズすることができる。
【０１３２】
また、本実施の形態によれば、見た目の形状だけでなく、検出範囲や大きさ、位置を自由に変えられるので、例えば、使い慣れた銀塩カメラの全ての操作手段等を撮影し、それらをそのままの機能、外観、位置でデジタルカメラ上に再現すれば、デジタルカメラにおいて、使い慣れた銀塩カメラと同様の操作性を実現することができる。
【０１３３】
また、本実施の形態によれば、自分の好みのスイッチ等をデザインし、紙に書かれたスイッチ等を撮影することで、カメラの操作手段等を任意のデザインにカスタマイズすることができる。
【０１３４】
また、本実施の形態によれば、装置に内蔵のメモリに好みの操作手段等が登録されるため、着脱メモリを変えても登録されたデータが消去されることがなく、登録された操作手段等を自由に変更することが出来る。
【０１３５】
なお、本実施の形態では、表示された画像をなぞることで領域形状を検出したが、画像の中に含まれる所望の領域が自動的に抽出されるようにしてもよい。所望の領域を自動的に抽出する方法としては、領域拡張法などの様々な公知の技術を用いることが出来る。通常、使用したい画像が略中央にくるように撮影されるため、画像の中央近辺にある略閉領域を所望の領域として抽出してもよいし、画像に撮影されている全ての略閉領域を抽出し、抽出された複数の略閉領域の画像のなかから、ユーザーが所望の画像を選択できるようにしてもよいし、任意の点をユーザーが指定し、指定された点を含む略閉領域を所望の領域として抽出するようにしてもよい。これにより、容易に所望の領域を抽出することが可能となる。
【０１３６】
また、本実施の形態では、入力された軌跡に対応する領域をレリーズボタンの画像、かつレリーズボタンとして機能させる領域として抽出したが、レリーズボタンとして使用したい画像の領域と、レリーズボタンとして機能させる領域とを別々に抽出するようにしてもよい。これにより、操作手段等の位置、形状などをより自由にカスタマイズすることが可能となる。
【０１３７】
また、本実施の形態では、各種操作手段に使用する画像を登録する処理画像において、画像と、その領域データ（画像が表示されている画素の座標）とをメモリに記憶させたが、画像のみを記憶させ、メモリからデータを読み出し、操作表示用ＬＣＤに表示する前に画像データから領域データへの変換を行うようにしてもよい。
【０１３８】
また、本実施の形態では、レリーズボタンをカメラボディ１０の上面に設けられた操作表示用ＬＣＤに表示させたが、背面の表示部に表示させてもよい。また、操作手段登録処理の最初に、表示させる表示部を選択するようにしてもよい。
【０１３９】
また、本実施の形態では、テキスト表示により要求を行ったが、音声などにより要求を行なってもよい。また、メッセージは、表示部１７でなく、操作表示用ＬＣＤ１５に表示させてもよい。
【０１４０】
また、本実施の形態では、カメラボディ１０の上面及び側面に液晶ディスプレイ及びタッチパネルを配設したが、液晶ディスプレイ及びタッチパネルはレンズ等が配設されている正面以外の面であれば、どの面にも配設可能である。また、液晶ディスプレイ及びタッチパネルの数は、２つに限らず、１つでもよいし、３つ以上でもよい。例えば、図１９に示すように、カメラボディ１０の背面のみに液晶ディスプレイを設けて、その液晶ディスプレイに操作手段等を表示するようにしてもよい。図２０に示すように、ズームスイッチが表示された画素に対応する検出ブロックで入力が検出されることにより、ズームテレボタン及びズームワイドボタンの操作が行われる。図１９、図２０はズームスイッチを登録した例であるが、これに限らず、モード選択ボタン、ストロボマークなど他の操作手段をデザインすることもできる。
【０１４１】
また、本実施の形態では、レリーズボタンを例に説明したため、タッチパネルへの接触が検出された場合にはレリーズ動作を行わず、所定の強さの入力があった場合には、レリーズ動作を行うようにしたが、操作手段の種類によっては、入力の強さの設定を行わず、タッチパネルへの接触が検出された場合に、所定の動作を行なわせるようにしてもよい。
【図面の簡単な説明】
【０１４２】
【図１】本発明が適用されたデジタルカメラ１の正面斜視図である。
【図２】上記デジタルカメラ１の背面斜視図である。
【図３】上記デジタルカメラ１の液晶ディスプレイの構成を示す図である。
【図４】上記デジタルカメラ１のタッチパネルの構成を示す図である。
【図５】上記デジタルカメラ１の液晶ディスプレイ及びタッチパネルの配置を説明する図である。
【図６】上記デジタルカメラ１の電気的構成を示すブロック図である。
【図７】スイッチ撮影モードの一連の処理の流れを示すフローチャートである。
【図８】スイッチ撮影モードにおける撮影方法を説明する図である。
【図９】スイッチ画像登録処理の一連の処理の流れを示すフローチャートである。
【図１０】スイッチ画像登録処理における領域入力を説明する図である。
【図１１】スイッチ画像登録処理における確認入力を説明する図である。
【図１２】操作手段登録処理の一連の処理の流れを示すフローチャートである。
【図１３】操作手段登録処理における選択画面を示す図である。
【図１４】操作手段登録処理におけるボタンの位置入力を説明する図である。
【図１５】操作手段登録処理におけるボタンの大きさ入力を説明する図である。
【図１６】操作手段登録処理における確認入力を説明する図である。
【図１７】登録されたレリーズボタンの表示例である。
【図１８】レリーズボタンの設定方法を説明する図である。
【図１９】背面のみに液晶ディスプレイ及びタッチパネルが設けられた例である。
【図２０】背面のみに液晶ディスプレイ及びタッチパネルが設けられた例である。
【符号の説明】
【０１４３】
１：デジタルカメラ、１０：カメラボディ、１１：レンズ、１２：ストロボ、１３：ＡＦ補助光ランプ、１４：ストロボ調光センサ、１５：操作表示用ＬＣＤ、１６、１８：タッチパネル、１７：表示部、１９：バッテリー、２０：メモリカード、１１０：システム制御回路、１１２：入力判定部、１１６、１２０：メモリ、１１８：不揮発性メモリ、撮像素子１２４、１２６：タイミング発生回路（ＴＧ）、１３０：Ａ／Ｄ変換器、１３２：メモリ制御部、１３４：画像処理回路、１３６：ビデオエンコーダ、１３８：操作画像生成手段、１４０：測距制御手段（ＡＦ手段）、１４２：露光制御手段（ＡＥ手段）、１４３：バリア制御手段、１４６：ズーム制御手段、１４８：圧縮・伸張回路、１５０：メディア制御部、１６０：ストロボ制御手段
【図１】
2008306381.tif 000003
【図２】
2008306381.tif 000004
【図３】
2008306381.tif 000005
【図４】
2008306381.tif 000006
【図５】
2008306381.tif 000007
【図６】
2008306381.tif 000008
【図７】
2008306381.tif 000009
【図８】
2008306381.tif 000010
【図９】
2008306381.tif 000011
【図１０】
2008306381.tif 000012
【図１１】
2008306381.tif 000013
【図１２】
2008306381.tif 000014
【図１３】
2008306381.tif 000015
【図１４】
2008306381.tif 000016
【図１５】
2008306381.tif 000017
【図１６】
2008306381.tif 000018
【図１７】
2008306381.tif 000019
【図１８】
2008306381.tif 000020
【図１９】
2008306381.tif 000021
【図２０】
2008306381.tif 000022